Podtech/llm-jp-corpus-v4-ja_patent huggingface dataset:
【手続補正書】
【提出日】平成20年2月29日(2008.2.29)
【手続補正１】
【補正対象書類名】特許請求の範囲
【補正対象項目名】請求項１０
【補正方法】変更
【補正の内容】
【請求項１０】
前記化合物の粒子の分散体が前記重縮合ステップの開始時に反応媒体に添加されることを特徴とする請求項８記載の製造方法。
【手続補正２】
【補正対象書類名】特許請求の範囲
【補正対象項目名】請求項１７
【補正方法】変更
【補正の内容】
【請求項１７】
押出成形または射出成形による透明製品の製造のための請求項１〜７のいずれか１項記載の熱可塑性組成物。
【手続補正３】
【補正対象書類名】特許請求の範囲
【補正対象項目名】請求項１８
【補正方法】変更
【補正の内容】
【請求項１８】
押出成形または射出成形によって成形したポリエステルが非晶質であることを特徴とする請求項１７記載の熱可塑性組成物。
【手続補正４】
【補正対象書類名】特許請求の範囲
【補正対象項目名】請求項１９
【補正方法】変更
【補正の内容】
【請求項１９】
前記製品が非晶質ポリエステル中空体であることを特徴とする請求項１８記載の熱可塑性組成物。
【手続補正５】
【補正対象書類名】特許請求の範囲
【補正対象項目名】請求項２０
【補正方法】変更
【補正の内容】
【請求項２０】
前記中空体がブロー成形による中空体の製造に使用される予備形成品であることを特徴とする請求項１９記載の熱可塑性組成物。
【手続補正６】
【補正対象書類名】特許請求の範囲
【補正対象項目名】請求項２１
【補正方法】変更
【補正の内容】
【請求項２１】
押出成形によって得られた前記製品がフィルムまたは透明シートであることを特徴とする請求項１８記載の熱可塑性組成物。
【手続補正７】
【補正対象書類名】特許請求の範囲
【補正対象項目名】請求項２２
【補正方法】変更
【補正の内容】
【請求項２２】
前記フィルムまたは透明シートが熱成形可能であることを特徴とする請求項２１記載の熱可塑性組成物。
【手続補正書】
【提出日】平成20年6月6日(2008.6.6)
【手続補正１】
【補正対象書類名】特許請求の範囲
【補正対象項目名】全文
【補正方法】変更
【補正の内容】
【特許請求の範囲】
【請求項１】
高速ロータあるいはシャフトアッセンブリで使用するラジアル流体膜軸受を含む流体膜軸受における不安定性を制御する方法において：
ラジアル流体膜軸受と組み合わせて磁気軸受を使用するステップを具え、
前記ラジアル流体膜軸受が主耐荷軸受として作用するように構成されており；
前記磁気軸受が、前記流体膜軸受からの不安定性を生じさせる接線方向の負荷に抵抗することによって、前記ラジアル流体膜軸受内の不安定性を接線方向に制御する手段として作用するように構成されている；
ことを特徴とする方法。
【請求項２】
請求項１に記載の方法において、前記ラジアル流体膜軸受が、円筒型ジャーナル軸受、楕円軸受、オフセットハーフ軸受、多円弧型軸受、ティルティングパッド軸受、およびフォイル軸受からなる群から選択されることを特徴とする方法。
【請求項３】
請求項１に記載の方法において、前記組み合わせが二つの隣接型軸受あるいは非隣接型軸受の形を取り、一方が前記ラジアル流体膜軸受であり、他方が前記磁気軸受であることを特徴とする方法。
【請求項４】
請求項１に記載の方法において、前記組み合わせが、前記流体膜軸受用の流体が前記磁気軸受のロータと、前記磁気軸受内の前記ロータと前記ステータ間のクリアランス内に通過するように、前記磁気軸受の中に前記ラジアル流体膜軸受を有する一つの一体型軸受の形を取っていることを特徴とする方法。
【請求項５】
高速ロータあるいはシャフトアッセンブリで使用する軸受を含む流体膜軸受における不安定性を制御する方法において：
軸受負荷がかかる流体の軸方向において妨害を生じさせるステップを具えることを特徴とする方法。
【請求項６】
請求項５に記載の方法において、前記流体膜軸受が、前記流体膜軸受は軸受軸がシャフトまたはロータの軸に対して傾いており、前記流体膜軸受にミスアラインメントを作るように構成されていることを特徴とする方法。
【請求項７】
請求項６に記載の方法において、水平又は垂直軸受用に前記軸受が固定されたジオメトリの軸受であり、前記軸受軸の前記シャフトまたはロータ軸に対するミスアラインメントが水平又は垂直であることを特徴とする方法。
【請求項８】
請求項６に記載の方法において、水平又は垂直軸受用に前記軸受が固定されたジオメトリの軸受であり、前記軸受軸がそれぞれ前記シャフトロータ軸に関連して縦方向又は水平方向に傾斜していることを特徴とする方法。
【請求項９】
請求項６に記載の方法において、前記軸受が可変ジオメトリ軸受であり、前記軸受軸の前記シャフト又はロータ軸に対するミスアラインメントが水平であることを特徴とする方法。
【請求項１０】
請求項９に記載の方法において、前記可変ジオメトリ軸受が、前記シャフトまたはロータ軸に関連した軸受角度ミスアラインメントを提供するように取り付けられていることを特徴とする方法。
【請求項１１】
請求項６に記載の方法において、前記軸受アッセンブリのハウジングが調整可能であり、
前記調整可能なハウジングが緩和手段と、前記ハウジングの部品をねじって前記シャフトまたはロータ軸に対して前記軸受アッセンブリの角度ミスアラインメントを作ることによって、調整されることを特徴とする方法。
【請求項１２】
請求項１１に記載の方法において、前記軸受アッセンブリの角度ミスアラインメントが、軸受の磨耗とシャフトまたはロータの磨耗によって必要な場合に前記ハウジングを調整することによって再度調整されることを特徴とする方法。
【請求項１３】
請求項５に記載の方法において、
前記軸受アッセンブリが、下側軸受ハーフと上側軸受ハーフの二つのハーフで構成されており、及び
前記下側軸受ハーフが前記シャフトまたはロータ軸に整列しており、前記上側軸受ハーフが前記シャフトまたはロータ軸に対して傾斜している、
ことを特徴とする方法。
【請求項１４】
請求項１３に記載の方法において、前記上側軸受ハーフが傾斜して前記シャフトまたはロータ軸に対して前記上側軸受ハーフの角度ミスアラインメントを作ることを特徴とする方法。
【請求項１５】
請求項５に記載の方法において、
前記軸受アッセンブリが、下側軸受ハーフと上側軸受ハーフの二つのハーフで構成されており、及び
前記上側軸受ハーフが前記シャフトまたはロータ軸に整列しており、前記下側軸受ハーフが前記シャフトまたはロータ軸に対して傾斜している、
ことを特徴とする方法。
【請求項１６】
請求項１５に記載の方法において、前記下側軸受ハーフが傾斜して前記シャフトまたはロータ軸に対して前記下側軸受ハーフの角度ミスアラインメントを作ることを特徴とする方法。
【請求項１７】
請求項５に記載の方法において、前記軸受が本質的に円筒形状であり、前記シャフトまたはロータ軸に対して傾斜したエッジを有し、軸方向の流体膜のフローの妨害を提供するダムを具えることを特徴とする方法。
【請求項１８】
請求項１７に記載の方法において、前記ダム付軸受が、傾斜した油圧ダム型軸受アッセンブリであることを特徴とする方法。
【請求項１９】
請求項５に記載の方法において、前記流体膜軸受が多円弧型形状の軸受アッセンブリであって、各円弧が異なる位置で自身の曲率中心を有し、各円弧が軸方向に傾いて前記流体膜の軸方向のフローを妨害することを特徴とする方法。
【請求項２０】
請求項５に記載の方法において、前記シャフトまたはロータに対する前記軸受が：
末広形状；
先細形状；
末広−先細形状；及び
先細−末広形状；
のうちの一つであることを特徴とする方法。
【請求項２１】
請求項５に記載の方法において、前記軸受が、前記軸受と前記シャフト又はロータ間で円周方向および軸方向に揺動して、前記流体膜の円周方向および軸方向のフローを妨害する用に構成された二又はそれ以上のパッドを具えることを特徴とする方法。
【請求項２２】
請求項２１に記載の方法において、前記二又はそれ以上のパッドが、前記シャフトまたはロータの軸に対して傾斜していることを特徴とする方法。
【請求項２３】
請求項２１に記載の方法において、前記二又はそれ以上のパッドが先細−末広プロファイルを有することを特徴とする方法。
【請求項２４】
請求項２１に記載の方法において、前記二又はそれ以上のパッドが末広−先細プロファイルを有することを特徴とする方法。
【請求項２５】
請求項２１に記載の方法において、前記二又はそれ以上のパッドが軸方向においてねじれていることを特徴とする方法。
【請求項２６】
請求項２１に記載の方法において、前記二又はそれ以上のパッドが軸方向においてステップが付いたパッドであることを特徴とする方法。
【請求項２７】
請求項５に記載の方法において、前記流体膜軸受がフォイル軸受であることを特徴とする軸受。
【手続補正書】
【提出日】平成20年3月25日(2008.3.25)
【手続補正１】
【補正対象書類名】明細書
【補正対象項目名】０００９
【補正方法】変更
【補正の内容】
【０００９】
溶着されるべきベルト側の相対的にわずかなＰＵ表面により生じる、この二段階法で製造されたベルトの短所は、理論的な層の剥離にある。この際、第二工程で取付けられる半ベルトは剥離し、連結担持体は駆動輪と直接接触するおそれがある。さらにこの方法はベルト材料の連結担持体への連結が最適ではないという短所を有する。
【特許文献１】独国特許出願公開第２１２３９０２号明細書
【特許文献２】独国特許第２９２０９１６号明細書
【特許文献３】独国特許出願公開第２５１２５３０号明細書
【特許文献４】欧州特許出願第０２００８０３７１.３−２４２４号明細書
【特許文献５】国際特許出願公開第０３／０３７４５号明細書
【特許文献６】独国特許出願第１０２２２０１.８号明細書
【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
シャフトをシャフト軸上に位置する回転中心を中心にして振動させながら誘導するための、シャフトと固定支持体との間で一方が他方の内側に取り付けられたボールソケットベアリング及びボールベアリングを含む装置であって、ボールソケットベアリング（３０、４０、４６）が、ベアリングの内側レースを形成する球体の一部分に外側凸面を有するボールソケットジョイント（３０）と、ボールソケットジョイント（３０）とベアリングの２個の重ね合わせた外側レース（４６）との間に配設され、前記レース（４６）の半円柱形環状スロット又は溝（４４）の中を誘導されるボール（４０）の２個のリングと、を含むことを特徴とする装置。
【請求項２】
各リングのボール（４０）が、ボールソケットジョイント（３０）とボールソケットベアリングの対応する外側レース（４６）との間に配設された円柱形ケージ（４２）のオリフィスに収容されている、請求項１記載の装置。
【請求項３】
ボールソケットジョイント（３０）がシャフト（２０）に固着され、２個の実質的に重ね合わせたボールベアリング（５０、５２）が固定支持体（２６）とボールソケットベアリングとの間に取り付けられている、請求項１又は２記載の装置。
【請求項４】
ボールソケットベアリングの外側円柱形レース（４６）がボールベアリング（５０、５２）の内側円柱形レースによって形成されている、請求項３記載の装置。
【請求項５】
ボールソケットベアリングのボール（４０）の２個のリングがシャフト（２０）の回転中心（２２）に対して対称的に配置されている、請求項１〜４のいずれか１項記載の装置。
【請求項６】
回転中心（２２）を中心とするシャフト（２０）の移動の角度範囲が中間位置の各側で約８°以上である、請求項１〜５のいずれか１項記載の装置。
【請求項７】
ボールソケットベアリングの２個の外側レース（４６）が実質的に隣接し、弾性変形性材料でできたシム（５８）によって分けられている、請求項１〜６のいずれか１項記載の装置。
【請求項８】
２個の重ね合わせた外側レース（４６）の間の軸方向距離を調節するための手段（６０）を含む、請求項１〜７のいずれか１項記載の装置。
【請求項９】
調節手段が、固定支持体（２６）に螺着され、前記外側レースを押すナット（６０）を含み、他方の外側レースが固定支持体（２６）を押す、請求項８記載の装置。
【請求項１０】
２個の外側レースの間の軸方向距離が調節されたのちナット（６０）の回転を止めるための手段を含む、請求項９記載の装置。
【請求項１１】
シャフト（２０）が、生物学的試料管（１２）を支持するためのプレート（１０）をその一方の端部で支持し、モータの出力シャフトによって支持される偏心ベアリングに取り付けられたその他方の端部を介して駆動手段に接続されている、請求項１〜１０のいずれか１項記載の装置。
【請求項１２】
騒音及び振動を減衰するための手段（８４、１１０、１１２）が固定フレーム（７０）とシャフト（２０）を誘導し、駆動するための手段との間に取り付けられている、請求項１〜１１のいずれか１項記載の装置。
【請求項１３】
騒音及び振動を減衰するための手段がエラストマーリング（８４、１１０、１１２）を含む、請求項１２記載の装置。
【請求項１４】
リング（８４、１１０、１１２）が、５５〜８５の範囲のショアーＡ硬さを有するエラストマーでできている、請求項１３記載の装置。
【請求項１５】
リング（８４、１１０、１１２）が、約７０のショアーＡ硬さを有するエラストマーでできている、請求項１４記載の装置。
【請求項１６】
シャフト（２０）の一端を駆動シャフト（７２）に接続する偏心器（７４、７６）が、プレート（７８）に取り付けられた減摩ベアリング（８０）の中で回転しながら誘導され、プレートそのものが前記エラストマーリング（８４）によって固定フレーム（７０）に取り付けられている、請求項１３〜１５のいずれか１項記載の装置。
【請求項１７】
シャフトを誘導するためのボールソケットベアリング及びボールベアリング（９２、９４、９６）が金属レース（９８）の内側に取り付けられ、金属レースそのものが前記エラストマーリング（１１０）によって円柱形スリーブ（１００）に取り付けられている、請求項１３〜１６のいずれか１項記載の装置。
【請求項１８】
エラストマーリング（１１２）が、スリーブ（１００）を支持する固定部分（１０２）と固定フレーム（７０）に接続された環（１０８）との間に取り付けられている、請求項１７記載の装置。
【請求項１９】
前記エラストマーリング（８４、１１０、１１２）が、それらが間に取り付けられている部品上で平行移動可能に固定化されている、請求項１３〜１８のいずれか１項記載の装置。
【請求項２０】
エラストマーリング（８４、１１０、１１２）が、その場で鋳造され、加硫されているか、それらが間に取り付けられている部品に接合されている、請求項１３〜１９のいずれか１項記載の装置。
【請求項２１】
騒音及び振動減衰手段が、固定フレーム（７０）及びシャフト（２０）を駆動するための手段（Ｍ、７２）を含む装置の下部上に、シャフト（２０）をセンタリング及び誘導するためのベアリング及び減摩ベアリング（９２、９４、９６）を少なくとも含む装置の上部を弾性的に懸垂するための手段（１１６）を含む、請求項１２〜２０のいずれか１項記載の装置。
【請求項２２】
弾性懸垂手段（７６）が、シャフト（２０）を駆動するためのモータ（Ｍ）の停止段階及び始動段階における低及び中間周波数の吸収のためのエラストマーストッパもしくはブロック又はケーブルを備えたタイプである、請求項２１記載の装置。
【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
シリカ及び／又はケイ酸塩が上に沈降しているデンプン粒子を含むことを特徴とする、ケイ素を含有するデンプンの複合体。
【請求項２】
前記デンプンがアニオン性又は天然又はカチオン性、好ましくはアニオン性の顆粒状デンプンであることを特徴とする請求項１に記載の複合体。
【請求項３】
前記ケイ酸塩が、アルカリ土類金属ケイ酸塩、アルカリ金属ケイ酸塩、アルカリ土類金属アルミニウムケイ酸塩、アルカリ金属アルミニウムケイ酸塩、これらの変性物、上記化合物の混合塩及び組み合わせから成る群から選択され、前記シリカが、沈降二酸化ケイ素から成る群から選択されることを特徴とする請求項１又は２に記載の複合体。
【請求項４】
前記複合体が、１０〜９５重量％、好ましくは５０〜８０重量％のシリカ及び／又はケイ酸塩を含有することを特徴とする請求項１〜３のいずれか一項に記載の複合体。
【請求項５】
デンプン及び任意で補助塩を含有する懸濁液が、沈降化合物を含有する水溶液に添加された後、ケイ素化合物の水溶液並びに任意で沈降化合物及び／又は酸の水溶液がこうして得られた混合物に添加され、次に、こうして調製されたスラリーのｐＨが、必要であれば７又はそれ以下に調整されることを特徴とする、ケイ素を含有するデンプンの複合体の製造方法。
【請求項６】
前記沈降化合物が、シリカの沈降のために、無機酸及び二酸化硫黄から成る群から選択され、ケイ酸塩の沈降のために、無機酸及びアルカリ土類金属、アルカリ金属、土類金属、並びに硫酸塩、亜硫酸塩、硝酸塩、並びに亜鉛及びアルミニウムの塩、並びに硫酸アンモニウム塩から成る群から選択されることを特徴とする請求項５に記載の製造方法。
【請求項７】
前記ケイ素化合物が、ケイ酸塩を沈降させるために、沈降シリカ、アルカリ金属及びアルカリ土類金属ケイ酸塩、アルカリ金属及びアルカリ土類金属アルミニウムケイ酸塩、並びに前記混合塩の炭酸カルシウム及び炭酸マグネシウム、並びに前記組み合わせから成る群から選択され、シリカを沈降させるために、アルカリ金属及びアルカリ土類金属ケイ酸塩から成る群から選択されることを特徴とする請求項５又は６に記載の製造方法。
【請求項８】
前記補助塩が、アルカリ土類金属の塩及び水酸化物、好ましくはマグネシウム及びカルシウムの塩化物、硫酸塩、炭酸塩、及び水酸化物から成る群から選択されることを特徴とする請求項５〜７のいずれか一項に記載の製造方法。
【請求項９】
前記デンプンがアニオン性又は天然又はカチオン性、好ましくはアニオン性の顆粒状デンプンであることを特徴とする請求項５〜８のいずれか一項に記載の製造方法。
【請求項１０】
請求項１〜４のいずれか一項に記載のケイ素を含有するデンプンの複合体、または請求項５〜９のいずれか一項に記載の製造方法により製造されたデンプンの複合体の、紙又は厚紙の充填剤としての使用。
【請求項１１】
請求項１〜４のいずれか一項に記載のケイ素を含有するデンプンの複合体、または請求項５〜９のいずれか一項に記載の製造方法により製造されたデンプンの複合体の、紙及び厚紙のコーティング顔料としての使用。
【請求項１２】
請求項１〜４のいずれか一項に記載のケイ素を含有するデンプンの複合体、または請求項５〜９のいずれか一項に記載の製造方法により製造されたデンプンの複合体がパルプに添加された後、従来の紙の製造が行なわれることを特徴とする紙又は厚紙の製造方法。
【請求項１３】
請求項１〜４のいずれか一項に記載のケイ素を含有するデンプンの複合体、または請求項５〜９のいずれか一項に記載の製造方法により製造されたデンプンの複合体が、懸濁液として、あるいはコーティングの補助剤と混合されて、既知の方法により紙又は厚紙ウェブ上に施されることを特徴とする紙又は厚紙のコーティング方法。
【手続補正書】
【提出日】平成20年5月20日(2008.5.20)
【手続補正１】
【補正対象書類名】特許請求の範囲
【補正対象項目名】請求項７
【補正方法】変更
【補正の内容】
【請求項７】
フィッシャー・トロプシュ誘導原料と石油誘導原料との流動点の差が４０℃未満である請求項１〜６のいずれか１項に記載の方法。
【手続補正書】
【提出日】平成20年6月19日(2008.6.19)
【手続補正１】
【補正対象書類名】特許請求の範囲
【補正対象項目名】請求項１
【補正方法】変更
【補正の内容】
【請求項１】
伝導性向上剤として式（Ｉ）：
【化１】
2008503619.tif 000001
［ここで、
Ｒ１及びＲ２は同じでも異なっていてもよく、隣接する−ＣＯ−基を含めて１０〜２２の炭素原子を含む飽和脂肪酸から誘導される十分に飽和した脂肪アシル基であり、
Ｒ３＋はコリン又はエタノールアミンから誘導される基であり、又はＲ３＋は存在せずホスフェート基が第Ｉ族及び第ＩＩ族金属の一種又はそれ以上のイオンと塩を形成する］
の構造を有するリン脂質と、滑剤成分を含む、食糧、ビール又は飲料容器素材用及び容器構成部品素材用滑剤。
【手続補正２】
【補正対象書類名】特許請求の範囲
【補正対象項目名】請求項８
【補正方法】変更
【補正の内容】
【請求項８】
食糧、ビール又は飲料と接触する少なくとも一つの表面を有する金属シートを含んで成る食糧、ビール又は飲料容器素材及び容器構成部品素材であって、
その表面は、伝導性向上剤として式（Ｉ）：
【化２】
2008503619.tif 000002
［ここで、
Ｒ１及びＲ２は同じでも異なっていてもよく、隣接する−ＣＯ−基を含めて１０〜２２の炭素原子を含む飽和脂肪酸から誘導される十分に飽和した脂肪アシル基であり、
Ｒ３＋はコリン又はエタノールアミンから誘導される基であり、又はＲ３＋は存在せずホスフェート基が第Ｉ族及び第ＩＩ族金属の一種又はそれ以上のイオンと塩を形成する］
の構造を有するリン脂質と、滑剤成分を含む滑剤で滑らかにされる容器素材及び容器構成部品素材。
【手続補正３】
【補正対象書類名】特許請求の範囲
【補正対象項目名】請求項１３
【補正方法】変更
【補正の内容】
【請求項１３】
食糧、ビール又は飲料容器素材及び容器構成部品素材を滑らかにする方法であって、
滑剤は、伝導性向上剤として式（Ｉ）：
【化３】
2008503619.tif 000003
［ここで、
Ｒ１及びＲ２は同じでも異なっていてもよく、隣接する−ＣＯ−基を含めて１０〜２２の炭素原子を含む飽和脂肪酸から誘導される十分に飽和した脂肪アシル基であり、
Ｒ３＋はコリン又はエタノールアミンから誘導される基であり、又はＲ３＋は存在せずホスフェート基が第Ｉ族及び第ＩＩ族金属の一種又はそれ以上のイオンと塩を形成する］
によって与えられるリン脂質と、滑剤成分を含み、
ａ）滑剤を加熱して液状の滑剤を形成すること；及び
ｂ）容器素材に、液状の滑剤を静電的に塗工すること
を含む方法。
【手続補正書】
【提出日】平成20年6月13日(2008.6.13)
【手続補正１】
【補正対象書類名】特許請求の範囲
【補正対象項目名】全文
【補正方法】変更
【補正の内容】
【特許請求の範囲】
【請求項１】
プロピレン及び１−ヘキセンの半結晶性ランダムポリマーを含む少なくとも１層を有するパイプシステムであって、当該ポリマーはヘキセン−１から誘導される繰り返し単位０．２〜５ｗｔ％を含有し、当該ポリマーが
ａ）  重量平均分子量対数平均分子量の比率（平均Ｍｗ／平均Ｍｎ）に関して、５〜１１の範囲に及ぶ広い分子量分布；
ｂ）  一峰性型の分子量分布；及び
ｃ）  ３．３ｄｌ／ｇ以上の極限粘度を有する、フラクション中のヘキセン−１含有量が、３．３ｄｌ／ｇ未満の極限粘度を有する、フラクション中のヘキセン−１含有量よりも低い、
各特性を示す、前記パイプシステム。
【請求項２】
請求項１に記載のポリマーが、エチレン及びＣ４−Ｃ１０α−オレフィンから選択されるオレフィンから誘導される繰り返し単位を、０．５〜９モル％の量でさらに含んでなる、請求項１に記載のパイプシステム。
【請求項３】
プロピレン及び１−ヘキセンの半結晶性ランダムポリマーであって、当該ポリマーはヘキセン−１から誘導される繰り返し単位０．２〜５ｗｔ％を含有し、当該ポリマーが
ａ）  重量平均分子量対数平均分子量の比率（平均Ｍｗ／平均Ｍｎ）に関して、５〜１１の範囲に及ぶ広い分子量分布；
ｂ）  一峰性型の分子量分布；及び
ｃ）  ３．３ｄｌ／ｇ以上の極限粘度を有する、フラクション中のヘキセン−１含有量が、３．３ｄｌ／ｇ未満の極限粘度を有する、フラクション中のヘキセン−１含有量よりも低い、
各特性を示す、前記半結晶性ランダムポリマー。
【請求項４】
エチレン及びＣ４−Ｃ１０α−オレフィンから選択される繰り返し単位を、０．５〜９モル％の量でさらに含んでなる、請求項３に記載のポリマー。
【請求項５】
プロピレン及び１−ヘキセン並びに、場合により、エチレン及び／又はＣ４−Ｃ１０α−オレフィンが触媒の存在下で重合される、請求項３又は４に記載の製造法。
【手続補正書】
【提出日】平成20年6月13日(2008.6.13)
【手続補正１】
【補正対象書類名】特許請求の範囲
【補正対象項目名】全文
【補正方法】変更
【補正の内容】
【特許請求の範囲】
【請求項１】
ポンプフレームと、
前記ポンプフレームに取り付けられるように構成された複数のローラと、
前記複数のローラを移動させるように作動的に結合されたアクチュエータと、
カセットと、を含む蠕動ポンプであって、前記カセットは、
カセットフレームと、
前記複数のローラに対して管を圧縮するカムと、を含み、前記カセットは、前記カセットフレームに第１の方向に第１の圧力を加えることによって前記ポンプフレームに取り付けることができ、前記カセットフレームに第２の方向に第２の圧力を加えることによって前記ポンプフレームから取り外すことができる蠕動ポンプ。
【請求項２】
前記カセットは、前記カセットフレームから延びるフックを含み、前記ポンプフレームは、前記フックを受け入れるように構成されたノッチを含む請求項１に記載の蠕動ポンプ。
【請求項３】
前記カセットは、フックを含み、前記カセットフレームは、前記フックを受け入れるように構成されたノッチを含む請求項１に記載の蠕動ポンプ。
【請求項４】
前記ポンプフレームに取り付けられたピンをさらに含み、前記カセットフレームは、前記ピンを受け入れるように構成された傾斜面を含む請求項１に記載の蠕動ポンプ。
【請求項５】
前記カセットフレームに取り付けられたピンをさらに含み、前記ポンプフレームは、前記ピンを受け入れるように構成された傾斜面を含む請求項１に記載の蠕動ポンプ。
【請求項６】
前記ピンは、
円筒形ボディと、
第１の端部で前期円筒形ボディから延びるヘッドと、
を含む請求項４に記載の蠕動ポンプ。
【請求項７】
前記ピンは、前記円筒形ボディの一部を取り囲む平行六面体形ハウジングをさらに含む請求項６に記載の蠕動ポンプ。
【請求項８】
前記ポンプフレームは、前記ピンの平行六面体形ハウジングを受け入れるように構成された穴をさらに含む請求項７に記載の蠕動ポンプ。
【請求項９】
前記ポンプフレームは、前記ピンを受け入れるように構成された穴をさらに含む請求項６に記載の蠕動ポンプ。
【請求項１０】
前記穴は、該穴内でのピンの摺動を可能にするか、該穴内でのピンの回動を可能にするか、或いは該穴内でのピンの摺動および回動を可能にする請求項９に記載の蠕動ポンプ。
【請求項１１】
前記ピンの回動は、前記穴内でのピンの摺動の方向と垂直な軸線を中心とする請求項１０に記載の蠕動ポンプ。
【請求項１２】
前記傾斜面は、前記ポンプフレームへの前記カセットの取り付け中にピンを保持するように構成された座部を含む請求項１０に記載の蠕動ポンプ。
【請求項１３】
前記傾斜面は、前記ポンプフレームへの前記カセットの取り付け中に前記ピンを前記座部に近づく方に案内するように構成された複数のレベルを有する請求項１２に記載の蠕動ポンプ。
【請求項１４】
前記傾斜面は、前記ポンプフレームからの前記カセットの取り外し中に前記ピンを前記座部から遠ざかる方へ案内するように構成された複数のレベルを有する請求項１２に記載の蠕動ポンプ。
【請求項１５】
前記穴内でのピンの摺動に抵抗するように取り付けられた付勢部材をさらに含む請求項９に記載の蠕動ポンプ。
【請求項１６】
蠕動ポンプにおいてカセットを使用する方法において、
蠕動ポンプのポンプフレームに取り付けられるカセットのカセットフレームを位置決めし、
フックをノッチに係合させて前記ポンプフレームに前記カセットフレームの第１の端部を取り付け、
ピンを第１の方向に摺動させて前記カセットフレームの第２の端部を受け入れ、
前記ピンを傾斜面に沿って摺動させ、
前記傾斜面の座部に前記ピンを保持して蠕動ポンプにカセットを取り付ける、
蠕動ポンプにおいてカセットを使用する方法。
【請求項１７】
前記カセットフレームに第２の方向に圧力を加え、それによって、前記座部から前記ピンを解放し、
前記ピンを前記傾斜面に沿って摺動させ、
前記フックを前記ノッチから係止解除して蠕動ポンプからカセットを取り外す、請求項１６に記載の方法。
【請求項１８】
前記第２の方向は、前記第２の方向とほぼ垂直である請求項１７に記載の方法。
【請求項１９】
前記カセットは、前記カセットフレームから延びる前記フックを含み、前記ポンプフレームが、前記ノッチを含む請求項１６に記載の方法。
【請求項２０】
前記ピンは、前記ポンプフレームに取り付けられ、前記カセットフレームが、前記傾斜面を含む請求項１６に記載の方法。
【手続補正書】
【提出日】平成20年6月13日(2008.6.13)
【手続補正１】
【補正対象書類名】特許請求の範囲
【補正対象項目名】全文
【補正方法】変更
【補正の内容】
【特許請求の範囲】
【請求項１】
蠕動ポンプに使用されるカセットであって、該カセットは、
蠕動ポンプに取り付けられるように構成されており、管を受け入れるように構成されているカセットフレームと、
カムと、
カム位置選択器スイッチと、
前記カムおよび前記カセットフレームに取り付けられ、前記カム位置選択器スイッチの移動がカセットフレームに対するカムの位置を調節するように前記位置選択器スイッチに作動的に結合された付勢部材と、
を含むカセット。
【請求項２】
前記カム位置選択器スイッチは、
第１の複数のリッジを含む第１の縁部と、
前記第１の縁部とほぼ反対側にあり、前記第１の縁部に対して傾斜している第２の縁部と、
前記第１の縁部から延びているノブと、
を含む請求項１に記載のカセット。
【請求項３】
前記カセットフレームは、外側表面と、周囲壁部とを含み、前記周囲壁部は、前記外側表面の周囲縁部を含み、前記周囲壁部は、スロットを構成しており、前記ノブは、前記スロット内で移動するように構成されている請求項２に記載のカセット。
【請求項４】
前記カセットフレームは、内側表面を含み、前記内側表面は、前記周囲壁部から延びており、第２の複数のリッジを含み、前記第１の複数のリッジは、前記第２の複数のリッジに当接するように構成されている請求項３に記載のカセット。
【請求項５】
前記カセットフレームは、第１の方向に移動できるように設けられた押しボタンを含み、前記第２の縁部は、前記押しボタンに接触して前記第１の方向に移動させる請求項４に記載のカセット。
【請求項６】
前記付勢部材は、前記押しボタンに取り付けられている請求項５に記載のカセット。
【請求項７】
前記付勢部材は、ブレードばねであり、該ブレードばねは、該ブレードばねの中央近くで前記押しボタンに取り付けられていることを特徴とする請求項６に記載のカセット。
【請求項８】
前記ブレードばねは、第１の先端部と、該第１の先端部と反対側の第２の先端部とを含み、前記カムは、前記第１の先端部の近くおよび前記第２の先端部の近くで前記ブレードばねに取り付けられている請求項７に記載のカセット。
【請求項９】
ポンプフレームと、
前記ポンプフレームに取り付けられるように構成された複数のローラと、
前記複数のローラを移動させるように作動的に結合されたアクチュエータと、
カセットと、を含む蠕動ポンプであって、前記カセットは、
蠕動ポンプに取り付けられるように構成されており、管を受け入れるように構成されているカセットフレームと、
カムと、
カム位置選択器スイッチと、
前記カムおよび前記カセットフレームに取り付けられ、前記カム位置選択器スイッチの移動がカセットフレームに対するカムの位置を調節するように前記位置選択器スイッチに作動的に結合された付勢部材と、
を含む蠕動ポンプ。
【請求項１０】
前記カム位置選択器スイッチは、
第１の複数のリッジを含む第１の縁部と、
前記第１の縁部とほぼ反対側にあり、前記第１の縁部に対して傾斜している第２の縁部と、
前記第１の縁部から延びているノブと、
を含む請求項９に記載の蠕動ポンプ。
【請求項１１】
前記カセットフレームは、外側表面と、周囲壁部とを含み、前記周囲壁部は、前記外側表面の周囲縁部を含み、前記周囲壁部は、スロットを構成しており、前記ノブは、前記スロット内で移動するように構成されている請求項１０に記載の蠕動ポンプ。
【請求項１２】
前記カセットフレームは、内側表面を含み、前記内側表面は、前記周囲壁部から延びており、第２の複数のリッジを含み、前記第１の複数のリッジは、前記第２の複数のリッジに当接するように構成されている請求項１１に記載の蠕動ポンプ。
【請求項１３】
前記カセットフレームは、第１の方向に移動できるように設けられた押しボタンを含み、前記第２の縁部は、前記押しボタンに接触して前記第１の方向に移動させる請求項１２に記載の蠕動ポンプ。
【請求項１４】
前記付勢部材は、前記押しボタンに取り付けられている請求項１３に記載の蠕動ポンプ。
【請求項１５】
前記付勢部材は、ブレードばねであり、該ブレードばねは、該ブレードばねの中央近くで前記押しボタンに取り付けられている請求項１４に記載の蠕動ポンプ。
【請求項１６】
前記ブレードばねは、第１の先端部と、該第１の先端部と反対側の第２の先端部とを含み、前記カムは、前記第１の先端部の近くおよび前記第２の先端部の近くで前記ブレードばねに取り付けられている請求項１５に記載の蠕動ポンプ。
【請求項１７】
前記第１の複数のリッジは、波形状および鋸歯状のうちの少なくとも１つである請求項１０に記載の蠕動ポンプ。
【請求項１８】
蠕動ポンプにおいてカムの位置を調節する方法であって、
カセットであって、該カセットは、
蠕動ポンプに取り付けられるように構成されており、管を受け入れるように構成されているカセットフレームと、
カムと、
カム位置選択器スイッチと、
前記カムおよび前記カセットフレームに取り付けられ、前記カム位置選択器スイッチの移動がカセットフレームに対するカムの位置を調節するように前記位置選択器スイッチに作動的に結合された付勢部材と、
を含むカセットを蠕動ポンプに取り付け、
カム位置選択器スイッチを第１の方向に移動させて、前記カセットフレームから前記カム位置選択器スイッチを解放し、
前記カセットフレームから前記カム位置選択器スイッチを解放した後に前記カム位置選択器スイッチを、前記第１の方向とほぼ垂直な第２の方向に移動させて、前記カセットフレームに対するカムの位置を調節する方法。
【請求項１９】
前記第２の方向への前記カム位置選択器スイッチの移動により、カムを前記第１の方向に移動させる請求項１８に記載の方法。
【請求項２０】
前記カム位置選択器スイッチは、
第１の複数のリッジを含む第１の縁部と、
前記第１の縁部とほぼ反対側にあり、前記第１の縁部に対して傾斜している第２の縁部と、
前記第１の縁部から延びているノブと、
を含む請求項１８に記載の方法。
【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
２：３．５〜３．５：２のモル比でcis-及びtrans-3-メチル-γ-デカラクトンを含む混合物のジャスモン香料としての使用。
【請求項２】
trans-3-メチル-γ-デカラクトンにより生み出される桃の香りを増大させるための、trans-3-メチル-γ-デカラクトンを含む香料組成物におけるcis-3-メチル-γ-デカラクトンの使用。
【請求項３】
ジャスモンの香りを生み出す、増大させる又は改質するのに十分な量の、モル比が２：３．５〜３．５：２のcis-及びtrans-3-メチル-γ-デカラクトンの混合物を香料組成物に添加する、香料組成物においてジャスモンの香りを生み出す、増大させる又は改質する方法。
【請求項４】
強い桃の香り及びジャスモンの香りを有する香料組成物の調製方法であって、
−強い桃の香りのない基礎となる香料組成物を調製する工程、
−前記基礎となる香料組成物をcis-3-メチル-γ-デカラクトン及びtrans-3-メチル-γ-デカラクトンと混合する工程であって、(i) cis-3-メチル-γ-デカラクトン及びtrans-3-メチル-γ-デカラクトンを２：３．５〜３．５：２のcis/transモル比で使用し、(ii)使用する化合物の総量が強い桃の香り及びジャスモンの香りを生み出すのに十分であり、かつ、(iii)使用するtrans-3-メチル-γ-デカラクトンの量が、cis-3-メチル-γ-デカラクトンの不在下では強い桃の香りを生み出すのに十分ではない工程、
を有することを特徴とする方法。
【請求項５】
香料組成物においてtrans-3-メチル-γ-デカラクトンにより生み出される桃の香りを増大させる方法であって、有効量のcis-3-メチル-γ-デカラクトンを香料組成物に添加することを特徴とする方法。
【請求項６】
ジャスモンの香りを生み出す量の、cis/transモル比が２：３．５〜３．５：２のcis-及びtrans-3-メチル-γ-デカラクトンの混合物を含むジャスモンの香りを有する香料組成物又は香料製品であって、使用されるcis-3-メチル-γ-デカラクトン及びtrans-3-メチル-γ-デカラクトンはいずれも独自ではジャスモンの香りを生み出さない香料組成物又は香料製品。
【請求項７】
前記香料組成物が、香油組成物であり、使用するcis-及びtrans-3-メチル-γ-デカラクトンの混合物の量が、香油組成物の総質量に対して０．０１〜９９．９質量％である請求項６記載のジャスモンの香りを有する香料組成物。
【手続補正書】
【提出日】平成20年6月3日(2008.6.3)
【手続補正１】
【補正対象書類名】特許請求の範囲
【補正対象項目名】全文
【補正方法】変更
【補正の内容】
【特許請求の範囲】
【請求項１】
天然ガスを液化する方法であって、前記方法は：
（ａ）主にメタン冷媒を有する間接熱交換を介し前記天然ガスの温度を少なくとも１００度Ｆだけ冷却し、それにより液化天然ガスを提供する段階；
（ｂ）前記液化天然ガスの少なくとも一部をフラッシュさせ、それにより主に蒸気部分及び主に液体部分を提供する段階；並びに
（ｃ）前記主に蒸気部分の少なくとも一部を、段階（ａ）で前記天然ガスを冷却するために用いられる前記主にメタン冷媒と結合する段階、を有し、
段階（ａ）で冷却する前にの前記天然ガスの圧力は、段階（ａ）の後の前記液化天然ガスの約５０ｐｓｉである、天然ガス液化方法。
【請求項２】
（ｄ）段階（ａ）で実行される前記冷却の上流で、前記主にメタン冷媒の少なくとも一部を前記天然ガスストリームと結合する段階、を更に有する請求項１記載の方法。
【請求項３】
前記主にメタン冷媒は、１０モルパーセントより少ない窒素を有する、請求項１記載の方法。
【請求項４】
段階（ａ）の前記冷却は、一連の少なくとも２つの別個のメタン熱交換器内で実行される、請求項１記載の方法。
【請求項５】
（ｅ）段階（ｃ）の前、且つ段階（ｂ）の後に、分離器内で、前記主に蒸気部分及び前記主に液体部分を分離する段階；並びに
（ｆ）前記主に液体部分を、前記分離器から液化天然ガス貯蔵タンクへ案内する段階、を更に有する請求項１記載の方法。
【請求項６】
（ｇ）前記結合された主にメタン冷媒及び主に蒸気部分をメタン圧縮機内で圧縮し、それにより圧縮された冷媒ストリームを提供する段階、を更に有する請求項１記載の方法。
【請求項７】
（ｈ）前記圧縮された冷媒ストリームの第１の部分を前記主にメタン冷媒として用いる段階、を更に有する請求項６記載の方法。
【請求項８】
（ｉ）前記圧縮された冷媒ストリームの第２の部分を燃料ガスとして用いる段階、を更に有する請求項７記載の方法。
【請求項９】
（ｊ）前記天然ガスの少なくとも一部を、主にプロパン、プロピレン、又は二酸化炭素を有する第１の冷媒を有する間接熱交換を介し冷却する段階、
を有する請求項１記載の方法。
【請求項１０】
（ｋ）前記主にメタン冷媒の少なくとも一部を、前記第１の冷媒を有する間接熱交換を介し冷却する段階、を更に有する請求項９記載の方法。
【請求項１１】
（ｌ）前記天然ガスの少なくとも一部を、主にエタン、エチレン、又は二酸化炭素を有する第２の冷媒を有する間接熱交換を介し冷却する段階、を更に有する請求項９記載の方法。
【請求項１２】
（ｍ）前記主にメタン冷媒の少なくとも一部を、前記第２の冷媒を有する間接熱交換を介し冷却し、それにより冷却された主にメタン冷媒を提供する段階、を更に有する請求項１１記載の方法。
【請求項１３】
（ｎ）前記冷却された主にメタン冷媒の第１の部分を前記天然ガスと結合する段階、を更に有する請求項１２記載の方法。
【請求項１４】
（ｏ）段階（ａ）の前に、重質量物質除去塔内で前記天然ガスから重質炭化水素成分を除去し、それにより除去された重質量物質のストリーム及び重質量物質を低減された天然ガスストリームを提供する段階、を更に有し、
段階（ｎ）は、前記冷却された主にメタン冷媒の前記第１の部分を前記重量物質を低減された天然ガスストリームと結合する段階を有する、請求項１３記載の方法。
【請求項１５】
（ｐ）前記冷却された主にメタン冷媒の第２の部分を、前記第２の冷媒を有する間接熱交換を介し冷却し、それにより冷却された主にメタン冷媒を提供する段階、を更に有する請求項１３記載の方法。
【請求項１６】
段階（ａ）は、間接熱交換を介し前記天然ガスを冷却するために、前記更に冷却された主にメタン冷媒の少なくとも一部を、前記主にメタン冷媒として用いる段階を有する、請求項１５記載の方法。
【請求項１７】
（ｑ）段階（ａ）の前に、前記天然ガスを、５０モルパーセントより少ないメタンを有する第１の冷媒を有する間接熱交換を介し冷却する段階、を更に有する請求項１記載の方法。
【請求項１８】
前記第１の冷媒は、主にプロパン、プロピレン、エタン、エチレン、又は二酸化炭素を有する、請求項１７記載の方法。
【請求項１９】
（ｒ）段階（ａ）の前、且つ段階（ｑ）の後に、第１の塔内で、前記天然ガスを第１の軽質量物質ストリーム及び第１の重質量物質ストリームに分離する段階、を更に有する請求項１８記載の方法。
【請求項２０】
（ｓ）第２の塔内で、前記第１の軽質量物質ストリームを第２の軽質量物質ストリーム及び第２の重質量物質ストリームに分離する段階、を更に有する請求１９記載の方法。
【請求項２１】
（ｔ）前記第２の軽質量物質ストリームを前記主にメタン冷媒を有する間接熱交換を介し冷却する段階、を更に有する請求項２０記載の方法。
【請求項２２】
（ｕ）前記第２の軽質量物質ストリームを圧縮することなく、前記第２の軽質量物質ストリームを前記第２の塔から段階（ｔ）の冷却へ案内する段階、を更に有する請求項２１記載の方法。
【請求項２３】
段階（ａ）−（ｃ）は、それぞれ異なる冷媒を利用する少なくとも３個の連続した冷却サイクルを有する縦列液化天然ガス設備内で実行される、請求項１記載の方法。
【請求項２４】
（ｖ）段階（ａ）−（ｃ）を介し生成された液化天然ガスを蒸発させる段階、を更に有する請求項１記載の方法。
【手続補正書】
【提出日】平成20年3月24日(2008.3.24)
【手続補正１】
【補正対象書類名】特許請求の範囲
【補正対象項目名】全文
【補正方法】変更
【補正の内容】
【特許請求の範囲】
【請求項１】
光イメージング装置であって、
各端に設けられた開口部を含む走査プラテンに向けてレーザビーム走査線を生成する光学アセンブリと、
前記走査プラテンの後ろにあって、前記各開口部に１つずつ設けられた第１および第２光検出器と、
前記走査プラテンの前記開口部における前記走査線の検出を視覚的に示す、前記第１および第２光検出器のそれぞれに接続された視覚表示器と、
走査された情報媒体から放射、反射、または伝達された光を収集する集光器アセンブリであって、前記集光器アセンブリは前記走査プラテンの中央点を軸にしてピボットすることができ、前記集光器アセンブリを前記走査線にアライメントするように、前記中央点を軸にして前記集光器アセンブリをピボット運動させる調整部材を有する集光器アセンブリと、
を含む装置。
【請求項２】
光イメージング装置をアライメントする方法であって、
各端に設けられた開口部を含む走査プラテンに、レーザビーム走査線を向けるステップと、
走査された情報媒体から放射、反射、または伝達された光を集光するよう構成されている前記集光器アセンブリを前記走査プラテンの中央点を軸にしてピボット運動できるように取り付けるステップと、
前記集光器アセンブリを前記走査線にアライメントするように、前記中央点を軸にして前記集光器アセンブリをピボット運動させる調整部材を備えるステップと、
第１および第２光検出器を、前記走査プラテンの後ろに、前記各開口部に１つずつ配置するステップと、
前記調整部材を用いて、前記集光器アセンブリをピボットさせて調整する際に前記走査プラテンの前記開口部における前記走査線の検出を視覚的に示す視覚表示器を、前記第１および第２光検出器のそれぞれに接続するステップと、
を含む方法。
【請求項３】
光イメージング装置をアライメントする方法であって、
光イメージング装置を備えるステップであって、前記光イメージング装置は、
（ａ）各端に開口部を含む走査プラテンに向けて、レーザビーム走査線を生成する光学アセンブリと、
（ｂ）前記走査プラテンの後ろに、前記各開口部に１つずつ設けられた第１および第２光検出器と、
（ｃ）前記走査プラテンの前記開口部における前記走査線の検出を視覚的に示す、前記第１および第２光検出器のそれぞれに接続された視覚表示器と、
（ｄ）走査された情報媒体から放射、反射、または伝達された光を収集する集光器アセンブリであって、前記集光器アセンブリは前記走査プラテンの中央点を軸にしてピボットすることができ、前記中央点を軸にして前記集光器アセンブリをピボット運動させる調整部材を有する集光器アセンブリと、
を含むステップと、
前記レーザビームが前記走査プラテンに向かうように前記光イメージング装置を作動させるステップと、
前記視覚表示器をモニタしながら前記調整部材を用いて前記集光器アセンブリを前記走査線にアライメントするように前記集光器アセンブリの前記位置を調整するステップと、
を含む方法。
【手続補正書】
【提出日】平成20年6月12日(2008.6.12)
【手続補正１】
【補正対象書類名】特許請求の範囲
【補正対象項目名】請求項１３
【補正方法】変更
【補正の内容】
【請求項１３】
人間の関心領域における生物学的構造の特性を決めるために構成される分光システムの対物レンズの収差補正を行う方法において、
−前記対物レンズを利用して、励起ビームを前記関心領域に向け、前記関心領域からの戻り放射線を収集するステップ、
−前記関心領域からの戻り放射線を検出するステップ、及び
−前記対物レンズの収差を補正するための前記検出された戻り放射線の補正手順を実行するステップ
を有する方法。
【手続補正書】
【提出日】平成20年6月5日(2008.6.5)
【手続補正１】
【補正対象書類名】特許請求の範囲
【補正対象項目名】全文
【補正方法】変更
【補正の内容】
【特許請求の範囲】
【請求項１】
（ａ）ｉ）構造
【化１】
2008503768.tif 000001
（式中、
Ｒ１は独立して水素またはメチルであり、
Ｒ２は独立して水素または臭素であり、
Ｑは独立してＯまたはＳであり、
Ｚは独立して−Ｃ（ＣＨ3）2−、−ＣＨ2−、−Ｃ（Ｏ）−、−Ｓ−、−Ｓ（Ｏ）−または−Ｓ（Ｏ）2−である）
を有する主部分を含むモノマー、
ｉｉ）構造
【化２】
2008503768.tif 000002
（式中、
Ｒ１は独立して水素またはメチルであり、
Ｒ２は独立して水素または臭素であり、
Ｑは独立してＯまたはＳであり、
Ｚは独立して−Ｃ（ＣＨ3）2−、−ＣＨ2−、−Ｃ（Ｏ）−、−Ｓ−、−Ｓ（Ｏ）−または−Ｓ（Ｏ）2−であり、
Ｌは、直鎖または分岐のＣ2〜Ｃ12アルキル基から独立して選択された連結基であり、ここで、炭素鎖は１個以上の酸素基で任意に置換されている、および／または炭素原子は１個以上のヒドロキシル基で任意に置換されている）
を有する主部分を含むモノマー
およびｉとｉｉの混合物
からなる群から選択された少なくとも約１５重量％の１種以上の第１のモノマー、
ｂ）少なくとも約１０重量％の無機ナノ粒子および
ｃ）任意に架橋剤
の反応生成物を含む重合済み構造を有する輝度向上フィルム。
【請求項２】
前記組成物は光開始剤を含む、請求項１に記載の輝度向上フィルム。
【請求項３】
前記無機粒子の量は約６０重量％未満である、請求項１に記載の輝度向上フィルム。
【請求項４】
前記無機ナノ粒子は表面改質されている、請求項１に記載の輝度向上フィルム。
【請求項５】
前記無機ナノ粒子はシリカ、ジルコニア、チタニア、酸化アンチモン、アルミナ、酸化錫、それらの混合金属酸化物、またはそれらの混合物を含む、請求項１に記載の輝度向上フィルム。
【請求項６】
前記Ｒ２は水素である、請求項１に記載の輝度向上フィルム。
【請求項７】
１種以上のエチレン性不飽和モノマーを含むとともに８２℃（１８０°Ｆ）で１０００ｃｐｓ未満の粘度を有する有機成分、および少なくとも１０重量％の無機ナノ粒子を含む、実質的に無溶媒の重合性組成物の反応生成物を含む輝度向上重合済み構造を含む、輝度向上フィルム。
【請求項８】
１種以上のエチレン性不飽和モノマーを含むとともに少なくとも１．５４の屈折率を有する有機成分、および少なくとも１０重量％の無機ナノ粒子を含む、実質的に無溶媒の重合性組成物の反応生成物を含む輝度向上重合済み構造を含む、輝度向上フィルム。
【手続補正書】
【提出日】平成20年6月6日(2008.6.6)
【手続補正１】
【補正対象書類名】特許請求の範囲
【補正対象項目名】全文
【補正方法】変更
【補正の内容】
【特許請求の範囲】
【請求項１】
印刷可能なセルフラミネート加工ラベルを備えたクッション付きリストバンドであって、装着者の手首に接触するためのクッション素材の層と、前記クッション素材の一方の側へ伸びるストラップと、リストバンドへの付着のためのセルフラミネート加工ラベルとを含み、前記セルフラミネート加工ラベルが、前記ストラップが挿入される少なくとも１つのスロットと、該少なくとも１つのスロットに挿入されたままになるようにストラップを固定するための取付具とを有する、リストバンド。
【請求項２】
前記ラベルが、両端部に置かれたスロットを有し、前記ストラップが挿入され、それによってリストバンドが装着されたときに実質的に装着者の手首に隣接する平面方向の前記ラベルの一方の側を固定し、表示する、請求項１に記載のリストバンド。
【請求項３】
取付具が、クッション素材の少なくとも一部を覆うフック素材の裏張りまたはループ素材の裏張りのうちのいずれか一方の層を含み、ストラップがフック素材またはループ素材のうちの他方の面を有し、ラベルがリストバンドよりも狭い幅を有し、ストラップは、ラベルがリストバンドに付着されている場合、リストバンドが装着されたときにラベルの縁が装着者の手首に接触する機会を最小限にするために、リストバンドの各々の側から内側に間隔をあけて置かれるように配置された、請求項２に記載のリストバンド。
【請求項４】
ストラップが、リストバンドがユーザに適用されるときに前記スロットの各々を通って挿入され、それを越えて裏張りに付着するように十分に長く、またリストバンドの幅よりも狭い幅を有し、リストバンドが装着者に装着されたあとラベルがリストバンドの縁を越えて伸びるのに十分なラベルの切り落とし（ｃａｎｔｉｎｇ）を許容することなく、ラベルスロットを通るその速やかな挿入が可能であるようにサイズ設定される、請求項３に記載のリストバンド。
【請求項５】
ラベルが印刷可能なフェースストック部分とラミネート加工部分とを含み、前記ラミネート加工部分が、フェースストック部分をしっかりと封入するために折りたたまれるように、前記印刷可能なフェースストック部分の約２倍のサイズであり、前記ラベルが２層の業務用書式から分離可能であり、書式が、書式からの分離の前、コンピュータ制御下のプリンタによりフェースストック部分の印刷を行うようになっている、請求項４に記載のリストバンド。
【請求項６】
ストラップがループ素材に付着され、ラベルスロットのうちの少なくとも１つを通る挿入の後、ストラップが装着者の手首に巻き付けられ、裏張りへの付着のためにリストバンドの反対の端を通り越すようにして、装着者の手首がクッション素材によって完全に取り囲まれ、ラベルがリストバンドの外側に置かれるように配置される、請求項５に記載のリストバンド。
【請求項７】
ラベルを受け入れるように構成されたクッション付きリストバンドであって、クッション素材の内側層と、フック素材またはループ素材のいずれかの外側層とを備えるキャリアと、キャリアの端部付近に固定されたストラップとを有し、ストラップが、フック素材またはループ素材のいずれかのうちの他方の層を有し、リストバンドがユーザの手首に適用されるときに、ラベルに形成された少なくとも１つのスロットを通って挿入され、その後、外側層へのストラップの付着のためにユーザの手首周りに巻き付けられるようにサイズ設定され、さらに、リストバンドがユーザの手首の周りで一般に直線方向で巻き付けられるようにキャリアに対して位置決めされ、一旦付着されたストラップがストラップとユーザの手首との間の接触を最小限とするようにキャリアの両縁から間隔を置く、リストバンド。
【請求項８】
前記ラベルが、素材の２つの層から形成されるセルフラミネート加工ラベルを含み、前記２つの層が、印刷されるイメージを受け入れるための表面層領域と、表面層領域の上部をラミネート加工するためのラミネート層とを含む、請求項７に記載のリストバンドへの付着のためのラベル。
【請求項９】
前記外側層がループ素材を備え、ストラップはフック素材を備え、前記クッション素材が、リストバンドが適用されるときにクッション素材がユーザの手首を完全に一周し、それによってラベルをリストバンドの外側に付着してユーザの皮膚に接触せずに位置決めするように、前記目的とするユーザのためにサイズ設定され、ストラップが前記キャリアに縫い糸で固定されている、請求項８に記載のリストバンドとラベルの組合せ。
【請求項１０】
前記ラベルがフェースストックの層とラミネート加工の層とを含み、リストバンドへの付着のために業務用書式から分離され、ラベルにセルフラミネート加工されるまでは、プリンタによるイメージ化のために業務用書式に置かれる、請求項９に記載のクッション付きリストバンドとラベルの組合せ。